(57)【要約】【課題】本発明は、表示画面上にソフトウェアキーボードを表示し、画面を触れることで情報を入力する機能を有する表示画面手段を備えた自動分析装置において、ソフトウェアキーボードの表示位置に係らず、使い勝手の良いソフトウェアキーボードを備えた自動分析装置を提供することを目的とする。【解決手段】本発明は、表示画面と、前記表示画面に表示される表示情報と、前記表示画面に表示され、表示上の特定位置を触れることにより予め定めた特定の情報が入力されるソフトウェアキーボードとを備え、前記ソフトウェアキーボードの表示は、前記表示情報が隠れてしまう不透明表示と、前記表示情報が透過するように一緒に重複して見える半透明表示を有することを特徴とする。【選択図】図４
2007183787.tif 000002
【特許請求の範囲】
【請求項１】
表示画面と、
前記表示画面に表示される表示情報と、
前記表示画面に表示され、表示上の特定位置を触れることにより予め定めた特定の情報が入力されるソフトウェアキーボードとを備え、
前記ソフトウェアキーボードの表示は、前記表示情報が隠れてしまう不透明表示と、前記表示情報が透過するように一緒に重複して見える半透明表示を有することを特徴とするソフトウェアキーボード表示装置。
【請求項２】
請求項１記載のソフトウェアキーボード表示装置において、
前記半透明表示は、前記表示情報と前記ソフトウェアキーボードの表示鮮明度が調整可能であることを特徴とするソフトウェアキーボード表示装置。
【請求項３】
請求項１記載のソフトウェアキーボード表示装置において、
前記表示情報は、ソフトウェアキーボードにより文字や記号が入力される複数の入力領域を含み、
前記入力領域が触れられて選択されると、前記ソフトウェアキーボードが前記表示画面に表示され、
前記入力領域の選択に対し、前記ソフトウェアキーボードの不透明／半透明に係わる表示透過性を決定するための関係フラグを予め割り付けておき、この関係フラグに基づき、前記ソフトウェアキーボードの表示透過性を変化させる制御手段を備えたことを特徴とするソフトウェアキーボード表示装置。
【請求項４】
請求項１記載のソフトウェアキーボード表示装置において、
前記表示情報は、ソフトウェアキーボードにより文字や記号が入力される複数の入力領域を含み、
前記入力領域が触れられて選択されると、前記ソフトウェアキーボードが前記表示画面に表示され、
選択される前記入力領域と前記ソフトウェアキーボードの表示位置が所定の関係に定められていることを特徴とするソフトウェアキーボード表示装置。
【請求項５】
請求項１記載のソフトウェアキーボード表示装置において、
前記表示情報は、ソフトウェアキーボードにより文字や記号が入力される複数の入力領域を含み、
前記入力領域が触れられて選択されると、前記ソフトウェアキーボードが前記表示画面に表示され、
表示された前記ソフトウェアキーボードは、前記表示画面上を移動自在であることを特徴とするソフトウェアキーボード表示装置。
【請求項６】
試薬とサンプルを反応させる反応手段と、該反応手段での反応を測定する測定手段と、
測定に関する事項を表示する表示画面手段が備わる自動分析装置において、
表示画面手段は、
表示画面と、
前記表示画面に表示される自動分析装置アプリケ−ション画面と、
前記表示画面に表示され、表示上の特定位置を触れることにより予め定めた特定の情報が入力されるソフトウェアキーボードとを含み、
前記ソフトウェアキーボードの表示は、前記自動分析装置アプリケ−ション画面が部分的に隠れてしまう不透明表示と、自動分析装置アプリケ−ション画面の表示情報が透過するように一緒に重複して見える半透明表示を有することを特徴とする自動分析装置。
【発明の詳細な説明】
【技術分野】
【０００１】
本発明は、ハードウェアとしてのキーボードに代えて表示画面上にキーボードを表示し、画面上を触れることで入力するソフトウェアキーボード表示装置に係り、特に生体サンプルの定性、定量分析を行う自動分析装置に好適なソフトウェアキーボード表示装置に関する。
【背景技術】
【０００２】
自動分析装置の設置面積の小型化要求に伴い、キーボードやマウス等のハードウェアの外部入力装置を使用することなく情報を入力する手段としてビジュアル・タッチ・スクリーンを備え、数値あるいは英数字データの入力が必要な場合は、ポップアップ・キーボード（ソフトウェアキーボード）を表示するコンピュータ・インターフェース表示モジュールが開発されている。例えば特許文献１にはこのような入力手段を備えた自動分析装置が開示されている。
【０００３】
【特許文献１】特表２００４−５０２１７９号公報
【発明の開示】
【発明が解決しようとする課題】
【０００４】
特許文献１記載の機能を実際の自動分析装置操作画面における入力操作に適用した場合、不具合が生じる可能性がある。
【０００５】
すなわち、操作画面の面積が限られた自動分析装置操作画面上に、ソフトウェアキーボードを自動分析装置アプリケーション画面に重畳して表示すれば、該自動分析装置アプリケーション画面上の一部の情報が隠れてしまう。
【０００６】
入力しようとしている情報を、そのような隠れてしまった情報を参照して決定する必要がある場合、ソフトウェアキーボードの表示位置をいちいちずらして情報を入力する必要があり、使い勝手が良くない場合があった。
【０００７】
本発明の目的は、表示画面上にソフトウェアキーボードを表示し、画面を触れることで情報を入力する機能を有する表示画面手段を備えた自動分析装置において、ソフトウェアキーボードの表示位置に係らず、使い勝手の良いソフトウェアキーボードを備えた自動分析装置を提供することにある。
【課題を解決するための手段】
【０００８】
本発明は、表示画面と、前記表示画面に表示される表示情報と、前記表示画面に表示され、表示上の特定位置を触れることにより予め定めた特定の情報が入力されるソフトウェアキーボードとを備え、前記ソフトウェアキーボードの表示は、前記表示情報が隠れてしまう不透明表示と、前記表示情報が透過するように一緒に重複して見える半透明表示を有することを特徴とする。
【０００９】
表示画面はＣＲＴ、液晶パネル等、情報を表示できる手段であればどのようなものでも良い。ソフトウェアキーボードは表示画面上のＩＴＯ膜のような透明導電性膜により形成され画面を触れることで入力を検知する手段と、表示されたソフトウェアキーボードの表示座標位置との関係から、ソフトウェアキーボードのどの位置に触れたかを判断する手段を備えていることが一般的である。
【００１０】
しかし、本発明はこのようなハードウェアに限定されない。表示されたキーボードのいずれの位置に触れたかを検出できる機能を備えたソフトウェアキーボード入力装置であればどのような構成のものでも良い。
【００１１】
同様に、ソフトウェアキーボードが表示される領域を判断する機能もソフトウェアで実現しても良いし、ハードウェアで実現しても良い。ソフトウェアキーボードでは、入力しようとしている情報の位置はカーソルで表示するのが一般的であり、そのようなカーソルが表示されている位置の情報に基づいて、入力しようとする情報を特定することができる。
【００１２】
表示透過性とは、不透過（透過率０％）と透過（透過率１００％）の間で予め設定されるものであるが、隠れる領域の表示情報に応じて、複数段階が設定されることが好ましい。
【００１３】
例えば、隠れる領域の表示情報の密度が大きい場合は、透過率が大きいと、両者の表示情報が重なって醜くなるので、透過率を低下させ、密度が小さい場合は、透過率を上げるなどすれば、見やすくなる場合がある。
【発明の効果】
【００１４】
本発明によれば、入力する入力領域ごとにソフトウェアキーボードの表示透過性をリアルタイムに変化させることで、ソフトウェアキーボード表示領域下の情報を参照とされるときだけに該情報を可視が実現できるという、操作画面が従来から備えている特長を失うことなく、データ入力手段をソフトウェアキーボードに変更することができる。
【００１５】
つまり、入力方式の変更によって生じるデメリットが回避できるため、自動分析装置本体からキーボードおよびマウスを省く事ができ、それによって自動分析装置本体の省スペース化を実現することができる。
【００１６】
さらには、入力方式が従来のキーボードおよびマウスからソフトウェアキーボードに変わった事によって、オペレータが操作方法を再習得する煩わしさ、および心的負担を軽減することができ、便利性のあるソフトウェアキーボードを実現することが可能になる。
【発明を実施するための最良の形態】
【００１７】
以下、本発明の実施形態について添付図面を参照して説明する。
【００１８】
図１は自動分析装置の原理的な装置構成図である。
【００１９】
図１において１−１は反応ディスクであり、反応ディスク１−１の外周上には反応容器１−２が設けられている。反応ディスク１−１全体は保温槽１−３によって所定の温度に保持されている。
【００２０】
１−５は検体を設置するサンプルディスク機構であり、このサンプルディスク機構１−５にはバーコード１−６を貼付けした多数の検体の試験管が設置されている。多数の試験管は、バーコード読み取り装置１−２６で読まれる。
【００２１】
バーコード１−６を貼付けした試験管内の検体はピペッティング機構１−７のノズル１−８によって適宜に抽出され、検体分注位置の反応容器１−２に注入される。
【００２２】
１−９Ａ１と１−９Ｂ１はバーコードラベル付きの試薬ボトルが設置された試薬ディスク機構であり、各試薬ディスク機構１−９Ａ１，１−９Ｂ１ごとにバーコード読み取り装置１−２７Ａ，１−２７Ｂが付属しており試薬登録時にバーコードを読み込みポジションに対応した試薬ボトル情報を登録する。
【００２３】
また各々試薬ディスクには第２試薬ピペッティング機構１−１０Ａと、第１試薬ピペッティング機構１−１０Ｂが設置されている。試薬ディスク機構１−９Ａ１，１−９Ｂ１に近接されて配置された２−１１は撹拌機構である。
【００２４】
１−１２は多波長光度計、１−１３は光源であり、多波長光度計１−１２と光源１−１３と間に測光の対象を収容する反応容器１−２が配置されている。１−１４は洗浄機構である。
【００２５】
制御系及び信号処理系について述べる。
【００２６】
１−１５はマイクロコンピュータ、１−１６はインターフェイス、１−１７はＬｏｇ（対数）変換器、１−１８はＡ／Ｄ変換器、１−１９は試薬分注機構、１−２０は洗浄ポンプ、１−２１はサンプル試薬分注機構である。
【００２７】
１−２２は印字のためのプリンタ、１−２３は表示のＣＲＴ、１−２４は記憶装置としてハードディスク、１−２５は入力するための操作パネル（キーボード、あるいはタッチパネルやマウスなどのポインティングデバイス）である。１−２３の表示のＣＲＴが、タッチパネルとして扱われる場合もある。その場合、１−２３のＣＲＴは入力部兼出力部であると言える。
【００２８】
図１でバーコードを貼付けした試験管に入れられた検体は、操作パネルより入力された、マイクロコンピュータ１−１５内のメモリに記憶されている分析パラメータにしたがって、検体ピペッティング機構１−７のノズル１−８を用いて反応容器１−２に所定量分注する。
【００２９】
次に、検体が分注された反応容器１−２を、反応ディスク１−１を回転させ試薬分注位置へ移送する。その後、試薬を操作パネルより入力された、マイクロコンピュータ１−１５内に記憶されている分析パラメータにしたがって、試薬ピペッティング機構１−１０Ａ及び１−１０Ｂのノズルを用いて、検体が分注された反応容器１−２へ所定量分注する。その後、撹拌機構１−１１で検体と試薬との撹拌が行われ、混合される。
【００３０】
この反応容器１−２が、測光位置を横切る時、多波長光度計１−１２により吸光度が測光される。測光された吸光度は、Ｌｏｇ変換１−１７，Ａ／Ｄ変換器１−１８，インターフェイス１−１６を経由して、マイクロコンピュータ１−１５に取り込まれる。
【００３１】
この吸光度は、あらかじめ項目毎に指定された分析法で測定しておいた標準試料液の吸光度から作成した検量線に基づき、濃度データに変換される。この測定された成分濃度データは、プリンタや画面に出力される。
【００３２】
以上の測定原理において、ユーザは、測定に必要な種々のパラメータ設定や検体の登録、そして分析結果の確認を表示画面手段（入力手段を兼ねる）である画面（ＣＲＴ）１−２３で行う。
【００３３】
次に本発明の実施形態の特徴を順に説明する。
【００３４】
まず、自動分析装置操作画面上には、自動分析装置アプリケーション画面とソフトウェアキーボードが表示される。入力を行う際に、該自動分析装置アプリケーション画面上の入力しようとしている情報がもつ入力する領域にフォーカスをあてる。
【００３５】
該ソフトウェアキーボードは、該自動分析装アプリケーション画面が有する該入力する領域にフォーカスがあてられると、一定の大きさをもったソフトウェアキーボードを該自動分析装アプリケーション画面に重畳させて表示する。
【００３６】
該ソフトウェアキーボードの表示位置は該入力する領域の位置によって一意に決まり、該入力する領域と該ソフトウェアキーボードの表示位置は１対１の関係をもつ。つまり、
自動分析装置アプリケ−ション画面である表示情報は、ソフトウェアキーボードにより文字や記号が入力される複数の入力領域を含み。そして、入力領域が触れられて選択されると、ソフトウェアキーボードが表示画面手段（ＣＲＴ）の表示画面に表示され、選択される入力領域とソフトウェアキーボードの表示位置が所定の関係に定められているのである。
【００３７】
フォーカスを当てられた入力する領域は、該自動分析装置アプリケーション画面上の該ソフトウェアキーボードが表示される領域で隠れてしまう自動分析装置アプリケーション画面上の表示情報との関係の有／無を示す関係フラグを属性としてもつ。同一の自動分析装置アプリケーション画面上の複数の該入力する領域のそれぞれが、該関係フラグを属性としてもつ。
【００３８】
該関係の有／無に従い、該情報フラグのオン／オフを決定する。該関係フラグのオン／オフに基づいて、該ソフトウェアキーボードの半透明／不透明表示処理を行う。ソフトウェアキーボードが不透明表示になると、自動分析装置アプリケーション画面上の表示情報が隠れてしまう。ソフトウェアキーボードが半透明表示になると、表示情報が透過するように一緒に重複して見える。
【００３９】
図２は、図１の入力部兼出力部を担ったＣＲＴに表示される自動分析装置操作画面の一例を示す。
【００４０】
図２に示された自動分析装置操作画面は、自動分析装置アプリケーション画面と、該自動分析装置アプリケーション画面上の５つの入力する項目名と、該入力する項目名に対応した８つの入力する領域と、ＯＫボタンと、Ｃａｎｃｅｌボタンから構成される。
【００４１】
２−１は、入力する領域１である。２−２は入力する領域２、２−３は入力する領域３、２−４は入力する領域４、２−５は入力する領域２である。
【００４２】
２−８は項目名１、２−９は項目名２、２−１０は項目名３、２−１１は項目名４、２−１２は項目名５、２−１３は項目名６、２−１４は項目名７、２−１５は項目名８、２−１６は項目名９、２−１７は項目１０、２−１８は項目名１１、２−１９は項目名１２である。
【００４３】
２−２０は項目内容１、２−２１は項目内容２、２−２２は項目内容３、２−２３は項目内容４、２−２４は自動分析装置アプリケーション画面である。
【００４４】
表１は、図２に示された５つの入力する領域がもつ関係フラグのオン／オフ状態を示したものである。
【００４５】
【表１】
2007183787.tif 000003
図３、図４、図５を引用して、実施形態の特徴について更に詳しく説明する。
【００４６】
図３は、不透明なソフトウェアキーボード（３−２）が表示された一例である。
【００４７】
例えば、図２に示した入力領域１（３−１）にフォーカスをあて入力（カーソルを当てて入力）を行う。表１の入力領域１における関係フラグがオフであることから、入力領域１に対して一意の位置に、不透明なソフトウェアキーボードの表示処理が行われる。
【００４８】
図４は、半透明なソフトウェアキーボード（４−２）が表示された一例である。
【００４９】
例えば、図４に示した入力領域４（４−１）にフォーカスをあて入力（カーソルを当てて入力）を行う際に、表１の入力領域４における関係フラグがオンであることから、入力領域４に対して一意の位置に、半透明なソフトウェアキーボードの表示処理が行われる。
【００５０】
４−２は、フルキー配列編集エリア付ソフトキーボード、４−３は起動元ＩＤ表示エリア、４−４は編集エリアである。
【００５１】
オペレータは、フルキー配列編集エリア付ソフトキーボード４−２上の起動元ＩＤ表示エリア４−３の表示内容により入力すべき対象が何であるかを知ることができる。また編集エリア４−４の表示内容により、自分の入力した内容が何であるかを知ることができる。その際、ソフトウェアキーボードの表示透過性を変化させる機能を備えた。
【００５２】
なお、不透明なソフトウェアキーボード、半透明なソフトウェアキーボードは、表示した後にマニアル操作により、表示画面上を移動させることができる。この移動により、自動分析装置アプリケーション画面の入力領域が見えやすく、ソフトウェアキーボードの入力をし易くすることができる。
【００５３】
図５は、自動分析装置アプリケーション画面上の入力する領域にフォーカスがあてられた際に、該自動分析装置アプリケーション画面にソフトウェアキーボードを重畳して半透明／不透明表示処理を行うフローチャートである。
【００５４】
フォーカスの位置情報を取得する（ステップ１）。
【００５５】
ステップ１の位置情報に基づいて、ソフトウェアキーボードの表示位置を一意に決定する（ステップ２）。
【００５６】
入力する領域が属性として有する関係フラグのオン／オフ状態を判断する（ステップ３）。
【００５７】
該関係フラグがオンの際には、ソフトウェアキーボードの半透明表示処理が行われる（ステップ４）。
【００５８】
該関係フラグがオフの際には、ソフトウェアキーボードの不透明表示処理が行われる（ステップ５）。
【００５９】
ソフトウェアキーボードの表示処理が行われたら、処理が終了したか否かが判断される（ステップ６）。処理が終了していなければ、ステップ１にリターンされる。
【００６０】
図６、表２を引用して、実施形態の特徴について更に詳しく説明する。
【００６１】
表２は、図２に示された該自動分析アプリケーション画面上の表示情報がもつ情報フラグの１／０の状態を示したものである。
【００６２】
【表２】
2007183787.tif 000004
自動分析装置アプリケーション画面上の表示情報のそれぞれが、入力する情報との関係をもつかどうかを示す関係フラグを属性としてもつ。該関係の有／無は１／０で表現する。
【００６３】
ソフトウェアキーボードの表示処理の際には、自動分析装置アプリケーション画面の該ソフトウェアキーボードが表示される領域で隠れてしまう該自動分析装置アプリケーション画面上の表示情報がもつ情報フラグの値だけによる論理演算を行う。
【００６４】
論理和の結果１／０に基づいて、ソフトウェアキーボードの半透明／不透明表示処理を行う。
【００６５】
図６は、不透明なソフトウェアキーボード（６−２）が表示された一例である。
【００６６】
例えば、図６に示した入力領域１（６−１）にフォーカスをあて入力を行う際に、該自動アプリケーション画面の該ソフトウェアキーボードが表示される領域で隠れてしまう該自動分析装置アプリケーション画面上の表示情報がもつ情報フラグの論理演算を行う。
【００６７】
該論理演算を行うのは、表３の識別表示された範囲内である。該範囲内による論理和が０であることから、ソフトウェアキーボードの不透明表示処理が行われる。
【００６８】
表３は図６の論理演算対象となる表示情報を明確にした表である。
【００６９】
【表３】
2007183787.tif 000005
図７を引用して、実施形態の特徴について更に詳しく説明する。
【００７０】
これは、半透明なソフトウェアキーボード（７−２）が表示された一例である。
【００７１】
例えば、図７に示した入力領域１（７−１）にフォーカスをあて入力を行う際に、該自動アプリケーション画面の該ソフトウェアキーボードが表示される領域で隠れてしまう該自動分析装置アプリケーション画面上の表示情報がもつ情報フラグの論理演算を行う。該論理演算を行うのは、表４の識別表示された範囲内である。該範囲内による論理和が１であることから、ソフトウェアキーボードの半透明表示処理が行われる。
【００７２】
表４は、図７の論理演算対象となる表示情報を明確にした表である。
【００７３】
【表４】
2007183787.tif 000006
図８を引用して、実施形態の特徴について更に詳しく説明する。
【００７４】
図８は、自動分析装置アプリケーション画面上の入力する領域にフォーカスがあてられた際に、該自動分析装置アプリケーション画面にソフトウェアキーボードを重畳して半透明／不透明表示処理を行うフローチャートである。
【００７５】
フォーカスの位置情報を取得する（ステップ１）。
【００７６】
ソフトウェアキーボードの表示位置を決定する（ステップ２）。
【００７７】
ソフトウェアキーボードの表示によって隠れた、自動分析装置アプリケーション画面上の表示情報がもつ情報フラグの論理和をとる（ステップ３）。
【００７８】
論理和の結果１であれば、ソフトウェアキーボードの半透明表示処理を行う（ステップ４）。
【００７９】
論理和の結果０であれば、ソフトウェアキーボードの不透明表示処理を行う（ステップ５）。
【００８０】
ソフトウェアキーボードの移動が行われたかどうかを判定する（ステップ６）。
【００８１】
ソフトウェアキーボードの移動が行われれば、ステップ３にリターンされる。
【００８２】
ソフトウェアキーボードの表示処理が行われたら、処理が終了したか否かが判断される（ステップ７）。処理が終了していなければ、ステップ１にリターンされる。
【００８３】
表５を引用して、実施形態の特徴について更に詳しく説明する。
【００８４】
表５は、図２の入力領域１と自動分析装置アプリケーション画面上に表示されている情報との関わりの有／無を関連付けたテーブルを示している。
【００８５】
【表５】
2007183787.tif 000007
ソフトウェアキーボードにより入力しようとしている情報と、該自動分析装置アプリケーション画面の該ソフトウェアキーボードが表示される領域で隠れてしまう該自動分析装置アプリケーション画面上の表示情報との関係を示したテーブルを予め用意しておく。該関係の有／無は１／０で表現する。
【００８６】
ソフトウェアキーボードの表示処理の際には、該テーブル上のフォーカスを当てて入力する領域が示す列で、該ソフトウェアキーボードによって隠れた該自動分析装置アプリケーション画面上の表示情報だけによる論理演算を行う。
【００８７】
論理和の結果１／０に基づいて、ソフトウェアキーボードの半透明／不透明表示処理を行う。
【００８８】
図６を引用して、実施形態の特徴について更に詳しく説明する。
【００８９】
図６は、不透明なソフトウェアキーボードが表示された一例である。
【００９０】
例えば、図６に示した入力領域１にフォーカスをあて入力を行う際に、表２において、ソフトウェアキーボードによって隠れた、自動分析装置アプリケーション画面上の情報だけによる論理演算行う。論理演算を行うのは、表３の識別表示された範囲内である。
【００９１】
該範囲内による論理和が０であることから、ソフトウェアキーボードの不透明表示処理が行われる。
【００９２】
図６、表５、表７を引用して、実施形態の特徴について更に詳しく説明する。
【００９３】
図６は、半透明なソフトウェアキーボードが表示された一例を示す。
【００９４】
例えば、図６に示した入力領域１にフォーカスをあて入力を行う際に、表５において、ソフトウェアキーボードによって隠れた、自動分析装置アプリケーション画面上の情報だけによる論理演算行う。
【００９５】
論理演算を行うのは、表６の識別表示された範囲内である。該範囲内による論理和が１であることから、ソフトウェアキーボードの半透明表示処理が行われる。
【００９６】
表５は、図６の論理演算対象となる表示情報を明確にした表である。
【００９７】
【表６】
2007183787.tif 000008
例えば、図６に示した入力領域１にフォーカスをあて入力を行う際に、表５において、ソフトウェアキーボードによって隠れた、自動分析装置アプリケーション画面上の情報だけによる論理演算を行う。
【００９８】
論理演算を行うのは、表７の識別表示された範囲内である。該範囲内による論理和が１であることから、ソフトウェアキーボードの半透明表示処理が行われる。
【００９９】
表７は、図７の論理演算対象となる表示情報を明確にした表である。
【０１００】
【表７】
2007183787.tif 000009
図８を引用して、実施形態の特徴について更に詳しく説明する。
【０１０１】
図８は、自動分析装置アプリケーション画面上の入力する領域にフォーカスがあてられた際に、該自動分析装置アプリケーション画面にソフトウェアキーボードを重畳して半透明／不透明表示処理を行うフローチャートである。
【０１０２】
フォーカスの位置情報を取得する（ステップ１）。
【０１０３】
ソフトウェアキーボードの表示位置を決定する（ステップ２）。
【０１０４】
自動分析装置アプリケーション画面上の表示情報で、ソフトウェアキーボードの予定表示領域内に、フォーカスをあてられた入力する領域と関係する情報の論理和をとる（ステップ３）。
【０１０５】
論理和の結果１であれば、ソフトウェアキーボードの半透明表示処理を行う（ステップ４）。
【０１０６】
論理和の結果０であれば、ソフトウェアキーボードの不透明表示処理を行う（ステップ５）。
【０１０７】
ソフトウェアキーボードの移動が行われたかどうかを判定する（ステップ６）。
【０１０８】
ソフトウェアキーボードの移動が行われれば、ステップ３にリターンされる。
【０１０９】
ソフトウェアキーボードの表示処理が行われたら、処理が終了したか否かが判断される（ステップ７）。処理が終了していなければ、ステップ１にリターンされる。
【図面の簡単な説明】
【０１１０】
【図１】本発明の実施例に係わるもので、自動分析装置の概略を示す図。
【図２】本発明の実施例に係わるもので、自動分析装置アプリケーション画面を示す図。
【図３】本発明の実施例に係わるもので、不透明ソフトウェアキーボード画面を示す図。
【図４】本発明の実施例に係わるもので、半透明ソフトウェアキーボード画面を示す図。
【図５】本発明の実施例に係わるもので、不透明ソフトウェアキーボード画面または半透明ソフトウェアキーボード画面を表示するフローチャート図。
【図６】本発明の実施例に係わるもので、不透明ソフトウェアキーボード一画面の他例を示す図。
【図７】本発明の実施例に係わるもので、半透明ソフトウェアキーボード画面の他例を示す図。
【図８】本発明の実施例に係わるもので、不透明ソフトウェアキーボード画面または半透明ソフトウェアキーボード画面を表示する他のフローチャート図。
【符号の説明】
【０１１１】
２−１…入力する領域１、２−２…入力する領域２、２−３…入力する領域３、２−４…入力する領域４、２−５…入力する領域５、２−６…Ｃａｎｃｅｌボタン、２−７…ＯＫボタン、２−８…項目名１、２−９…項目名２、２−１０…項目名３、２−１１…項目名４、２−１２…項目名５、２−１３…項目名６、２−１４…項目名７、２−１５…項目名８、２−１６…項目名９、２−１７…項目１０、２−１８…項目名１１、２−１９…項目名１２、２−２０…項目内容１、２−２１…項目内容２、２−２２…項目内容３、２−２３…項目内容４、２−２４…自動分析装置アプリケーション画面、３−１…カーソルが当てられた入力する領域、３−２不透明ソフトウェアキーボード、４−１…カーソルが当てられた入力する領域、４−２…半透明ソフトウェアキーボード。
【図１】
2007183787.tif 000010
【図２】
2007183787.tif 000011
【図３】
2007183787.tif 000012
【図４】
2007183787.tif 000013
【図５】
2007183787.tif 000014
【図６】
2007183787.tif 000015
【図７】
2007183787.tif 000016
【図８】
2007183787.tif 000017